(57)【要約】【課題】端末装置のアクセスによるトラフィック増大を防止し、照明制御装置の処理負担の増大を軽減すること。【解決手段】照明器具Ｃと；入力する調光信号に基づいて、照明器具Ｃに供給する電力を調整する調光器Ｂと；調光器Ｂに対して調光信号を出力できるように構成されている照明制御装置Ａと；照明器具Ｃの動作状態を表す動作状態データを記憶するとともに順次書き換えられる動作状態記憶部１１と、動作状態データをＷＷＷブラウザで表示するようにページデータを生成するページデータ生成部１３とを有する監視装置１と；ＷＷＷブラウザを格納するブラウザ格納部２１と、ＷＷＷブラウザに基づいてページデータを表示する表示部２３とが設けられていると共に、監視装置１とデータ通信ができるように構成されている端末装置２と；を具備し、照明制御装置Ａは、監視装置１の動作を有効又は無効に設定可能に構成されていることを特徴とする。【選択図】図１
2005108702.tif 000002
【特許請求の範囲】
【請求項１】
照明器具と；入力する調光信号に基づいて、照明器具に供給する電力を調整する調光器と；
調光器に対して調光信号を出力できるように構成されている照明制御装置と；
照明器具の動作状態を表す動作状態データを記憶するとともに順次書き換えられる動作状態記憶部と、動作状態データをＷＷＷブラウザで表示するようにページデータを生成するページデータ生成部とを有する監視装置と；
ＷＷＷブラウザを格納するブラウザ格納部と、ＷＷＷブラウザに基づいてページデータを表示する表示部とが設けられていると共に、監視装置とデータ通信ができるように構成されている端末装置と；
を具備し、照明制御装置は、監視装置の動作を有効又は無効に設定可能に構成されていることを特徴とする照明監視システム。
【発明の詳細な説明】
【技術分野】
【０００１】
本発明は、監視対象の照明器具の被制御状態を端末装置で表示することのできる照明監視システムに関する。
【背景技術】
【０００２】
従来、この種の照明監視システムとして、図７乃至図１０に示す構成のものが存在する。このものは、複数の壁スイッチＡ1及び複数の照明器具Ａ2のそれぞれに信号線Ａ3で接続されて、壁スイッチＡ1によって各照明器具Ａ2を制御する照明制御装置Ａと、表示部Ｂ1を有して専用通信線Ｂ2で照明制御装置Ａに接続された複数の端末装置Ｂとを備えている。
【０００３】
さらに詳しくは、図８に示すように、照明制御装置Ａは各壁スイッチＡ1に接続された壁スイッチ入力部Ａ11と、各壁スイッチＡ1及び各照明器具Ａ2のそれぞれの制御対応を決定する配線割当テーブルＡ4と、配線割当テーブルＡ4を編集する配線割当テーブル編集部Ａ41と、各照明器具Ａ2を点灯制御又は調光制御する照明制御部Ａ5と、照明器具Ａ2の被制御状態を表す制御状態データが記憶されるとともに順次書き換えられる状態記憶部Ａ6と、通信インタフェイスを設けた照明制御通信部Ａ7とを備えている。
【０００４】
ここで、配線割当テーブルＡ4は、例えば図９に示すように、各壁スイッチＡ1及び各照明器具Ａ2のそれぞれの制御対応、すなわち、各壁スイッチＡ1に対して制御すべき各照明器具Ａ2を決定し、配線割当テーブル編集部Ａ41を用いて編集設定する。
【０００５】
また端末装置Ｂは、図１０に示すように、通信インタフェイスを設けて専用通信線Ｂ2を介して照明制御装置Ａに接続された端末通信部Ｂ21と、建物のレイアウトを記述したユーザインターフェイスプログラムＢ3と、制御状態データをレイアウトに表示する表示部Ｂ1とを備えている。そして、照明器具Ａ2の被制御状態を監視、又は照明器具Ａ2を制御する必要があって、壁スイッチＡ1から離れた遠隔地に設置される。
【０００６】
この従来例の動作を説明する。壁スイッチＡ1が監視者によって押されると、照明制御装置Ａは壁スイッチ入力部Ａ11が動作し、制御される照明器具Ａ2が配線割当テーブルＡ4によって選択されて、照明制御部Ａ5が現在の制御状態データを記憶した状態記憶部Ａ6を照合して、選択された照明器具Ａ2を制御する。そして、制御後に状態記憶部Ａ6が新規の制御状態データに書き換えられて更新される。
【０００７】
端末装置Ｂは監視者によって操作されて、制御状態を変更する照明器具Ａ2が選択されるとともに、制御状態変更要求データを専用通信線Ｂ2を介して照明制御装置Ａの照明制御部Ａ5に伝達する。そして、照明制御部Ａ5が状態記憶部Ａ6を照合して、選択された照明器具Ａ2を制御し、制御後に状態記憶部Ａ6が新規の制御状態データに書き換えられて更新される。
【０００８】
端末装置Ｂは照明器具Ａ2を制御する毎に、更新された制御状態データが専用通信線Ｂ2を介して照明制御装置Ａから、ユーザインターフェイスプログラムＢ3に送られて、更新された制御状態データに基づいて、建物のレイアウトに照明器具Ａ2の被制御状態を表示する。
【０００９】
また、端末装置Ｂは起動時など必要に応じて、ユーザインターフェイスプログラムＢ3が専用通信線Ｂ2を介して、照明制御部Ａ5に照明器具Ａ2の被制御状態を問い合わせて、照明制御部Ａ5が状態記憶部Ａ6を呼び出して問い合わせに応じる。このようにして、端末装置Ｂは順次更新された制御状態データに基づいて照明器具Ａ2の被制御状態を表示部Ｂ1に表示して、監視者は照明器具Ａ2の被制御状態を監視する（例えば、特許文献１）。
【００１０】
上記従来の照明監視システムでは、端末装置Ｂは予め設定場所が限定されて、設置されていない場所からの監視又は制御ができない。さらに、遠隔地に設置する場合、照明制御装置Ａとの間に専用通信線Ｂ2を接続しなければならないので、端末装置Ｂの台数が増えると専用通信線Ｂ2の維持コストが増大する。また、ユーザインターフェイスプログラムＢ3は各端末装置Ｂごとに準備する必要があって、建物のレイアウト変更、又は配線変更などのたびに複数が変更されなければならず、多大の費用を必要とするため、端末装置の設置場所に制限されることなく、インターネットを介してどこからでも照明器具の被制御状態を監視しようとするものが提案されている（例えば、特許文献２）。
【特許文献１】特開平１０−１３６４６６号公報
【特許文献２】特開平１１−２５１０７２号公報
【発明の開示】
【発明が解決しようとする課題】
【００１１】
アクセス可能な端末装置が多数台存在する場合には、同時アクセスによるトラフィック増大が発生する場合がある。このことにより照明制御装置の処理負担が増大し、必要なその他の処理をすることが困難となる可能性がある。
【００１２】
そこで、本発明は、上記課題を解決するためになされたもので、トラフィックの増大を抑制できる照明監視システムを提供することを目的とする。
【課題を解決するための手段】
【００１３】
請求項１記載の照明監視システムは、照明器具と；入力する調光信号に基づいて、照明器具に供給する電力を調整する調光器と；調光器に対して調光信号を出力できるように構成されている照明制御装置と；照明器具の動作状態を表す動作状態データを記憶するとともに順次書き換えられる動作状態記憶部と、動作状態データをＷＷＷブラウザで表示するようにページデータを生成するページデータ生成部とを有する監視装置と；ＷＷＷブラウザを格納するブラウザ格納部と、ＷＷＷブラウザに基づいてページデータを表示する表示部とが設けられていると共に、監視装置とデータ通信ができるように構成されている端末装置と；を具備し、照明制御装置は、監視装置の動作を有効又は無効に設定可能に構成されていることを特徴とする。
【発明の効果】
【００１４】
請求項１記載の照明監視システムによれば、照明制御装置は、監視装置の動作を有効又は無効に設定可能に構成されているため、監視装置と端末装置との間でトラフィックの増大が発生したときには、監視装置の動作を停止させることができ、トラフィックの増大による問題を抑制することができる。
【発明を実施するための最良の形態】
【００１５】
本発明の一実施形態を図１乃至図６に基づいて以下に説明する。照明監視システムは、ＷＷＷサーバーとして機能する監視装置１、及びその監視装置１とインターネット３又は専用回線等を介して接続された端末装置２を備え、監視装置１は通信線１ａを介して照明制御装置Ａと接続されている。また、照明制御装置Ａは、複数の調光器Ｂ１，Ｂ２，Ｂ３に対して、例えば規格化されたＤＭＸ５１２信号などの調光信号を送出するように接続されており、調光器Ｂ１，Ｂ２，Ｂ３は、入力する調光信号に応じて、商用電源ＡＣを位相制御等することによって出力電力を調整するように構成されている。
【００１６】
各照明器具Ｃ１，Ｃ２，Ｃ３は、各々接続された調光器Ｂ１，Ｂ２，Ｂ３により、点灯電力が供給され、したがって、照明制御装置Ａにより出力された調光信号によって、動作状態（点灯・消灯・調光度合）が制御される。
【００１７】
次に、監視装置１の具体的説明を図２に基づいて行う。
【００１８】
１１は制御状態記憶部で、書き換えし得るＲＯＭ又は記憶媒体により、照明器具Ｃの被制御状態、すなわちオン状態又はオフ状態、若しくは複数のレベルに設定された調光状態を表す制御状態データが記憶されるとともに、順次新規の制御状態データに書き換えられて更新される。
【００１９】
１２は制御状態データ取得部で、回路又はプログラムで形成され、制御状態記憶部１１と接続して設けられ、通信線１ａを介して照明制御装置Ａと接続された通信部１２ａを設け、その通信部１２ａと接続されて、照明制御装置Ａの状態記憶部Ａ6に記憶された制御状態データを、通信線１ａを介して照明制御装置Ａから取り込む。
【００２０】
１３はページデータ生成部で、回路又はプログラムで形成され、画像記憶部１３ａ及びＨＴＭＬ情報記憶部１３ｂが設けられて、画像記憶部１３ａ、ＨＴＭＬ情報記憶部１３ｂ、通信部１２ａ、及び制御状態記憶部１１のそれぞれと接続される。画像記憶部１３ａは書き換えし得るＲＯＭ又は記憶媒体により、例えば各照明器具Ｃの平面配置図を記憶させることができる。
【００２１】
ＨＴＭＬ情報記憶部１３ｂは、書き換えし得るＲＯＭ又は記憶媒体により、ＨＴＭＬ（Ｈｙｐｅｒ
Ｔｅｘｔ Ｍａｒｋｕｐ ｌａｎｇｕａｇｅ）言語で記述されたＨＴＭＬ情報１３ｂ1が複数記憶されて、各ＨＴＭＬ情報１３ｂ1は各照明器具Ｃが配置された平面配置図を所定配置位置に配置するイメージ選択タグ１３ｂ2を記述している。ここで、自動再転送要求タグ１３ｂ3、及びＵＲＬリンクタグ１３ｂ4がＨＴＭＬ情報１３ｂ1に記述される。
【００２２】
そして、ページデータ生成部１３は画像記憶部１３ａ、及びＨＴＭＬ情報記憶部１３ｂを呼び出す。そして、制御状態記憶部１１に格納された制御状態データに基づいて、ＨＴＭＬ情報１３ｂ1のイメージ選択タグ１３ｂ2を特定の平面配置図に置き換えて、その特定の配置図が所定配置位置に配置されたページデータ１３ｃを、ＷＷＷブラウザで表示し得るよう生成する。
【００２３】
１４は制御データ生成部で、回路又はプログラムで形成され、照明制御装置Ａの照明制御部Ａ5と通信部１２ａを介して接続されるとともに、制御状態変更要求データが生成されて、端末装置Ｂによって選択された選択照明器具Ｃの制御状態を変更する。
【００２４】
１５はＷＷＷ（ｗｏｒｌｄ ｗｉｄｅ ｗｅｂ）サーバで、インターネット接続部１５ａが設けられ、そのインターネット接続部１５ａが電話回線によりインターネット３と接続する通信インタフェイスを有して、ページデータ生成部１３及び制御データ生成部１４のそれぞれと接続されている。
【００２５】
端末装置２について図３に基づいて説明する。２１はブラウザ格納部で、ハードディスク等の記憶媒体により、ＷＷＷブラウザを格納する。２２は端末側インターネット接続部で、電話回線でもってインターネット３に接続するインタフェイスが設けられる。表示部２３は、ＣＲＴにより、インターネット３を介して送信されたページデータ１３ｃをＷＷＷブラウザに基づいて表示する。
【００２６】
照明制御装置Ａについて図４に基づいて説明する。照明制御通信部Ａ7は、配線割当テーブルＡ4、照明制御部Ａ5、及び状態記憶部Ａ6のそれぞれと接続されるとともに、監視装置１と通信線１ａを介して接続されている。
【００２７】
このものの動作を、図５及び図６に示すフローチャートに基づいて以下に説明する。先ず、操作者により、特定の照明器具を制御するように照明制御装置Ａが操作されたとき（＃１１）、制御されるべき照明器具Ｃに点灯電力を供給する特定の調光器Ｂが配線割当テーブルＡ4によって選択されて（＃１２）、照明制御部Ａ5が状態記憶部Ａ6を呼び出して、記憶された制御状態データにしたがって選択されたその調光器Ｂを制御し（＃１３）、制御後に状態記憶部Ａ6が制御状態データを書き換えて更新する（＃１４）。照明制御通信部Ａ7は更新された制御状態データを、監視装置１の制御状態データ取得部１２に通信線１ａを介して送信する（＃１５）。
【００２８】
監視装置１は制御状態データ取得部１２が、更新された制御状態データを受信し（＃１６）、制御状態記憶部１１が更新された制御状態データに書き換えられる（＃１７）。
【００２９】
また、照明制御装置Ａは、監視装置１の動作を有効又は無効に設定するための動作指令信号を通信線１ａを介して送信するように構成されている。
【００３０】
次いで、照明器具Ｃの被制御状態を監視するフローチャート＃２を図６に基づいて説明する。先ず、端末装置２は照明器具Ｃの被制御状態を監視する監視者によって操作されて、監視者が指定したＵＲＬを入力されて送信することによって、監視装置１とのインターネット通信を確立する（＃２０）。
【００３１】
監視装置１は、照明制御装置Ａから、監視装置１の動作を無効にする動作指令信号の有無を判断し（＃２１）、無効にする動作指令信号を入力していたときには、動作を停止させ、有効にする動作指令信号入力していたときは、以下のステップを実行する。
【００３２】
送信されたＵＲＬをＷＷＷサーバ１５を通じて解析し、ページデータ生成部１３が呼び出されて作動する（＃２２）。ページデータ生成部１３はＵＲＬに基づいて、ＨＴＭＬ情報記憶部１３ｂに記憶された複数のＨＴＭＬ情報１３ｂ1のうちから必要なＨＴＭＬ情報１３ｂ1を選択する（＃２３）。
【００３３】
そして、現在の照明器具Ｃの被制御状態、すなわちオン、オフ状態又は調光状況をあらわす制御状態データを制御状態記憶部１１から読み取り、制御状態データに適合した特定の平面図１３ａ1を、画像記憶部１３ａから選択し読み取る（＃２４）。
【００３４】
そして、ページデータ生成部１３はＨＴＭＬ情報１３ｂ1に記述されたイメージ選択タグ１３ｂ2を、特定の平面図１３ａ1に置き換えて（＃２５）、その特定の平面図１３ａ1により現在の照明器具Ｃの被制御状態を、すなわち制御状態データを表すとともに、ＷＷＷブラウザで表示し得るページデータ１３ｃを生成する。そして、そのページデータ１３ｃをインターネット３を介して端末装置Ｂへ送信する（＃２６）。
【００３５】
そして、端末装置２はページデータ生成部１３によって生成されたページデータ１３ｃを表示部２３に表示して、監視者は照明器具Ｃの被制御状態をページデータ１３ｃを用いて監視する（＃２７）。
【００３６】
ここで、自動再転送要求タグがＨＴＭＬ情報１３ｂ1の中に記述されて、ページデータ１３ｃが端末装置２のＷＷＷブラウザに転送されると、ＷＷＷブラウザは所定時間経過後に同じＵＲＬを監視装置１に送信して、所定時間経過後のページデータ１３ｃを要求する。したがって、監視者は所定時間間隔毎に更新された照明器具Ａ2の被制御状態を監視することになる。
【００３７】
このような一実施形態の照明監視システムにあっては、上記したように、監視装置１が制御状態記憶部１１及びページデータ生成部１３を設け、制御状態記憶部１１が各照明器具Ｃの被制御状態を表す制御状態データを、順次書き換えられて更新された状態で記憶するとともに、ページデータ生成部１３が制御状態データに基づいてページデータ１３ｃを生成し、ＷＷＷブラウザがそのページデータ１３ｃを表示し得るから、端末装置Ｂがインターネット３等を介して、例えば電話回線でもって監視装置１と接続されて、世界中に設置された複数の端末装置Ｂを用いて、どこからでも照明器具Ｃの被制御状態を同時に監視することができる。
【００３８】
また、監視装置１の動作の有効又は無効が照明制御装置Ａにより設定することができるため、端末装置２の監視装置のアクセスによるトラフィック増大が発生するような場合には、照明制御装置Ａの操作により、監視装置１の動作を無効にすることができるので、照明制御装置Ａの処理負担の増大を軽減できる。
【００３９】
なお、本実施形態では、平面図１３ａ1を記憶した画像記憶部１３ａ、及び平面図１３ａ1の所定配置位置を記憶するＨＴＭＬ情報記憶部１３ｂがページデータ生成部１３に設けられたが、例えば制御状態データを平面図１３ａ1ではなく文字情報で表示しようとするときは、それぞれを設けなくともよく、ページデータ生成部１３が制御状態データをＷＷＷブラウザで表示し得るページデータ１３ｃを生成すればよい。
【００４０】
また、照明器具Ｃの被制御状態を監視するＷＷＷブラウザについて、特定のＵＲＬ、又は識別番号を設けてその監視できる端末装置を制限してもよく、限定されない。
【図面の簡単な説明】
【００４１】
【図１】本発明の一実施形態を示す概念構成図である。
【図２】同上の監視装置の構成図である。
【図３】同上の端末装置の構成図である。
【図４】同上の照明制御装置の構成図である。
【図５】同上の制御動作を示すフローチャート図である。
【図６】同上の照明器具の被制御状態を監視するフローチャート図である。
【図７】従来例を示す概念構成図である。
【図８】同上の照明制御装置の構成図である。
【図９】同上の配線割当テーブルを表す図である。
【図１０】同上の端末装置の構成図である。
【符号の説明】
【００４２】
１：監視装置
１１：制御状態記憶部
１２：制御状態データ取得部
１２ａ：通信部
１３：ページデータ生成部
１３ａ：画像記憶部
１３ａ1：平面図
１３ｂ：ＨＴＭＬ情報記憶部
１３ｂ1：ＨＴＭＬ情報
１４：制御データ生成部
２：端末装置
２１：ブラウザ格納部
２３：表示部
３：インターネット
Ａ：照明制御装置
Ａ５：照明制御部
Ｂ，Ｂ１，Ｂ２，Ｂ３：調光器
Ｃ，Ｃ１，Ｃ２，Ｃ３，Ａ２：照明器具
【図１】
2005108702.tif 000003
【図２】
2005108702.tif 000004
【図３】
2005108702.tif 000005
【図４】
2005108702.tif 000006
【図５】
2005108702.tif 000007
【図６】
2005108702.tif 000008
【図７】
2005108702.tif 000009
【図８】
2005108702.tif 000010
【図９】
2005108702.tif 000011
【図１０】
2005108702.tif 000012